(57)【要約】      （修正有）【課題】  多種類の液剤を単独または混合して、泡にして吹きつける装置を提供する。【解決手段】  必要な液剤の種類分のタンクを備え、液剤を水と適切な混合比で混合してエアーの圧力でミストあるいは泡にして放出する。本装置にはキャスター（１）が付いており、簡単に車の近くまで移動できる。液剤１タンク（１１）、液剤２タンク（１２）、液剤３タンク（１３）、液剤４タンク（１４）は本体下部に置かれ、扉（１０）を平面ハンドル錠（９）により開閉することで簡単に出し入れできる。また、液剤１タンク（１１）、液剤２タンク（１２）、液剤３タンク（１３）、液剤４タンク（１４）にはそれぞれ加圧ポートと吐出口が設けられてある。泡ノズル（７）はカプラ式でノズル（６）に装着され簡単に脱着できる。【選択図】図１
0003119443.tif 000002
【実用新案登録請求の範囲】
【請求項１】
多種類の洗車用液剤を、単独あるいは順番に、または数種の液剤を混合し、泡にして吹き付ける装置
【考案の詳細な説明】
【考案の詳細な説明】
【技術分野】
【０００１】  車体の洗浄、磨き、コーティング
【背景技術】
【０００２】  コイン洗車機や大型の自動洗車機より高級とされる手洗い洗車においては、従来、まず水を入れたバケツ等にシャンプーを適量混ぜて希釈し、スポンジ等をそのバケツに浸けてから車を洗浄する。１台洗浄するのに何度もスポンジをバケツに浸けなければならないため、１台洗浄するためには何回かバケツを持ち移動しなければならない。また何度もバケツに浸けるためバケツ内の液が汚れて来るので液の交換も必要である。洗浄後、雑巾等で拭き取る。
次にワックスをスポンジに適量付けて車のボディ全体に塗りつける。ボディ全体に塗りつけるためには何度も、スポンジにワックスを付ける必要がある。全体に塗りつけた後綺麗に拭き上げる。
次にウィンドウを撥水剤でコーティングする。これも前記同様にスポンジに付け、あるいはトリガー式スプレー容器等にあらかじめ入れておき、吹付けた後綺麗に拭き上げる。
ワックス、撥水剤は液体のもの、又ボディとウィンドウ双方に使用出来るワックスも有るが、あらかじめ希釈してトリガー式スプレー容器等に詰めておかなければならない。トリガー式スプレー容器等は内容量が少ないので、業務上で使用する場合はトリガー式スプレー容器を幾つも用意するか、何度も入替をしなければならない。
【考案が解決しようとする課題】
【０００３】  シャンプー、液体ワックス等多種類の液剤をそれぞれ単独で、あるいは順番に、または水とワックスというように数種の液剤を混合し、ノズルから泡にして吹き出させる事により、手洗い洗車作業の効率を向上させる事を課題とした。
【課題を解決するための手段】
【０００４】  本考案においては、液剤タンク、それぞれのタンクに対応する電磁弁、タンク内を加圧する電磁弁、外部供給される水及びコンプレッサーからのエアーをそれぞれＯＮ，ＯＦＦする電磁弁、ミスト状に噴出するノズルとミストを泡にする泡ノズル、電磁弁の２次側からノズルまで、エアーと液剤，水を分けて２系統で接続する約１０ｍのチューブ、電磁弁を収めた電磁弁ＢＯＸ、電磁弁を制御するコンピュータ及び操作パネルで構成される。
【考案実施の形態】
【０００５】  本考案は、ガソリンスタンドの洗車スペースや磨き専門のガレージ等で手洗い洗車のための液剤塗布装置として使用する。
【実施例】
【０００６】  図１において、本装置にはキャスター（１）が付いており、簡単に車の近くまで移動出来る。液剤１タンク（１１）、液剤２タンク（１２）、液剤３タンク（１３）、液剤４タンク（１４）は本体下部に置かれ、扉（１０）を平面ハンドル錠（９）により開閉することで簡単に出し入れ出来る。また、液剤１タンク（１１）、液剤２タンク（１２）、液剤３タンク（１３）、液剤４タンク（１４）にはそれぞれ加圧ポートと吐出口が設けてある。
液剤１タンク（１１）はシャンプー、液剤２タンク（１２）はワックス、液剤３タンク（１３）は撥水剤、液剤４タンク（１４）にはボディのコーティング剤が詰めてある。
泡ノズル（７）はカプラ式でノズル（６）に装着され、簡単に脱着出来る。
ノズル（６）はグリップ（８）を介して液剤チューブ（４）及びエアーチューブ（５）により電磁弁ＢＯＸ（１５）に接続されている。
制御ＢＯＸ（２）の中にはコンピュータが収められ装置の動作を制御する。
また、制御ＢＯＸ（２）の１面に操作パネル（３）が取り付けてある。
図２において、外部から供給される水道水は水接続口（１６）に接続され水レギュレータ（１７）、水電磁弁（１８）を介してマニホールド（１９）に接続されている。液剤１電磁弁（２０）、液剤２電磁弁（２１）、液剤３電磁弁（２２）、液剤４電磁弁（２３）の１次側は液剤１ジョイント（２４）、液剤２ジョイント（２５）、液剤３ジョイント（２６），液剤４ジョイント（２７）を介してそれぞれ液剤１タンク（１１）、液剤２タンク（１２）、液剤３タンク（１３）、液剤４タンク（１４）の吐出口とカプラで接続されている。２次側はマニホールド（１９）に接続され、水と液剤はマニホールド（１９）で合流し液剤放出ジョイント（２８）に接続されている。液剤放出ジョイント（２８）の反対側には液剤チューブ（４）が接続されている。
外部供給されるコンプレッサーからのエアーはエアー接続口（２９）へ接続され空圧レギュレータ（３０）、エアー電磁弁（３１）を介してエアー放出ジョイント（３２）に接続されている。エアー放出ジョイント（３２）の反対側にはエアーチューブ（５）が接続されている。また、空圧レギュレータ（３０）からのエアーは２系統に分割され、上記エアー電磁弁（３１）とは別に減圧弁（３３）、加圧電磁弁（３４）を介してタンク加圧ジョイント（３５）に接続されている。タンク加圧ジョイント（３５）は出口側が４口に分岐され、液剤１タンク（１１）、液剤２タンク（１２）、液剤３タンク（１３）、液剤４タンク（１４）の加圧ポートに接続されている。
液剤１電磁弁（２０）、液剤２電磁弁（２１）、液剤３電磁弁（２２）、液剤４電磁弁（２３）の内の１つと水電磁弁（１８）を開くとマニホールド（１９）で合流し混合されて水レギュレータ（１７）で調整された水圧により、液剤放出ジョイント（２８）、液剤チューブ（４）を介してノズル（６）に搬送される。
液剤チューブ（４）とエアーチューブ（５）により個別に搬送されたエアーと液剤はノズル（６）にて合流しエアーの圧力によりミスト状に放出される。
ノズル（６）に泡ノズル（７）を取り付ける事により、ミストを泡にして放出する事が出来る。
電磁弁の単位時間における開の時間を変更する事で混合比を変える事が出来、又液剤用電磁弁を同時に複数開いて複数の液剤を混合する事も可能である。
図３において、まず電源スィッチ（３６）を押す。電源表示灯（３７）が点灯し液剤１タンク（１１）、液剤２タンク（１２）、液剤３タンク（１３）、液剤４タンク（１４）を加圧する。
シャンプーのスィッチ（３８）を押しシャンプーの泡を車全体に吹きかけ停止スィッチ（４３）を押し放出を止める。車のサイド部分に吹きかけたシャンプーも泡のためすぐには落ちない。スポンジ等で泡と共に汚れを拭き落とし泡ノズル（７）を外してミストのスィッチ（４２）を押し、水だけをミストで吹き出させ、車全体を綺麗に洗い流して停止スィッチ（４３）を押し放出を止める。
泡ノズル（７）を取り付けワックスのスィッチ（３９）を押し、液剤２タンク（１２）に詰められたワックスを泡にして車全体に吹きかけ停止スィッチ（３８）を押して停止させた後泡を軽くこすり付けるようにして綺麗に拭き上げる。ミストスィッチ（４２）を押し綺麗に洗い流す。
次にコート１スィッチ（４０）を押し、撥水剤をミスト状態でウィンドウに吹付け、停止スィッチ（４３）を押し放出を止める。ミストのスィッチ（４２）を押して洗い流す。
次にコート２スィッチ（４１）を押し、コーティング剤をミスト状態でボディに吹付け、上記同様ミストスィッチ（４２）で洗いながす。
最後に、ウィンドウ及びボディをそれぞれ綺麗に拭き上げて終了。
それぞれの液剤は、希釈１スィッチ（４４）、希釈２スィッチ（４５）により適切な希釈率を選択する。本装置においては希釈率を４段階とした。
本装置では液剤タンク４ケで説明して来たが必要な液剤の種類が少ない場合は残りのタンクの加圧ポートはストップ弁付きカプラで接続されているので、カプラを外しておけばタンク内は加圧されずストップ弁により、エアーが漏れる事は無い。
液剤の種類が４種類以上の場合は、液剤タンク、電磁弁を増やす事で対応可能である。
【考案の効果】
【０００７】  この考案は前記の様に、これまでバケツ等に希釈液剤を作り、スポンジ等をいちいちバケツ等に浸けては拭いていた作業を、液剤ごとに必要個所全てに吹付けたあとを拭き取るだけですみ、希釈液剤の追加や次の希釈液剤への交換もスィッチを選んで押すだけで済むため、作業時間が大幅に軽減される。
また、バケツ等に希釈液剤を作ると、不足の場合は追加するため最後は余って捨てる事になるが、本考案では必要量だけ使用するので液剤及び水が節約出来、この面からもコストダウンが出来る。
また、吹付け時に混ざっても良く色の異なる液剤をそれぞれタンクに詰めて自動的に一定時間で順番に繰り返すと、色の異なる泡が順番に放出される。
タンクの数分の色分けが出来、３色なり４色の泡を虹の様に吹付ける事とで人目を引き、宣伝効果が上がる。
【図面の簡単な説明】
【図１】  装置全体正面図である。
【図２】  電磁弁ＢＯＸ平面図である。
【図３】  操作パネル正面図である。
【符号の説明】
１  キャスター                  ２  制御ＢＯＸ
３  操作パネル                  ４  液剤チューブ
５  エアーチューブ              ６  ノズル
７  泡ノズル                    ８  グリップ
９  平面ハンドル錠              １０  扉
１１  液剤１タンク              １２  液剤２タンク
１３  液剤３タンク              １４  液剤４タンク
１５  電磁弁ＢＯＸ              １６  水接続口
１７  水レギュレータ            １８  水電磁弁
１９  マニホールド              ２０  液剤１電磁弁
２１  液剤２電磁弁              ２２  液剤３電磁弁
２３  液剤４電磁弁              ２４  液剤１ジョイント
２５  液剤２ジョイント          ２６  液剤３ジョイント
２７  液剤４ジョイント          ２８  液剤放出ジョイント
２９  エアー接続口              ３０  空圧レギュレータ
３１  エアー電磁弁              ３２  エアー放出ジョイント
３３  減圧弁                    ３４  加圧電磁弁
３５  タンク加圧ジョイント      ３６  電源スィッチ
３７  電源表示灯                ３８  シャンプーのスィッチ
３９  ワックスのスィッチ        ４０  コート１スィッチ
４１  コート２スィッチ          ４２  ミストスィッチ
４３  停止スィッチ              ４４  希釈１スィッチ
４５  希釈２スィッチ
0003119443.tif 000003
【手続補正書】
【提出日】平成17年11月7日(2005.11.7)
【手続補正１】
【補正対象書類名】実用新案登録請求の範囲
【補正対象項目名】全文
【補正方法】変更
【補正の内容】
【実用新案登録請求の範囲】
【請求項１】
複数の液剤タンク及び同数の液剤用電磁弁、水用電磁弁、エアー用電磁弁とこれらの電磁弁を制御するコンピュータを備え、吐出部に泡ノズルを使用して、多種類の洗車用液材を、単独あるいは順番に、または数種の液材を混合し、泡にして吹き付ける装置
【手続補正２】
【補正対象書類名】図面
【補正対象項目名】全図
【補正方法】変更
【補正の内容】
【図１】
0003119443.tif 000004
【図２】
0003119443.tif 000005
【図３】
0003119443.tif 000006